(57)【要約】【課題】安価に製造することができ、かつ、運搬、保管等が容易なゴルフ練習用ネットを提供する。【解決手段】吊枠（１）と、該吊枠に備えさせた吊下用係止手段（１１）と、該吊枠に取り外し自在に取り付けたネット（１５）と、該ネットの下縁（２７）を地面に固定するための固定手段（３１）とよりなり、前記吊枠は複数本の吊枠構成部材（３）を分離自在に連結してなり、前記ネットは該吊枠の上面を覆うと共に該吊枠の縁部より垂下し、該吊枠を前記吊下用係止手段により吊下げると共に該吊枠下方の正面部（２９）を開口させた状態で該ネットの下縁を前記固定手段により地面に固定したことを特徴とするゴルフ練習用ネット。前記固定手段は、ネットの下縁を押える押え杆（３３）と該押え杆を地面に固定する固定釘（３５）とよりなる。【選択図】図１
0003107681.tif 000002
【実用新案登録請求の範囲】
【請求項１】
吊枠と、該吊枠に備えさせた吊下用係止手段と、該吊枠に取り外し自在に取り付けたネットと、該ネットの下縁を地面に固定するための固定手段とよりなり、
前記吊枠は複数本の吊枠構成部材を分離自在に連結してなり、
前記ネットは該吊枠の上面を覆うと共に該吊枠の縁部より垂下し、
該吊枠を前記吊下用係止手段により吊下げると共に該吊枠下方の正面部を開口させた状態で該ネットの下縁を前記固定手段により地面に固定したことを特徴とするゴルフ練習用ネット。
【請求項２】
前記固定手段は、ネットの下縁を押える押え杆と該押え杆を地面に固定する固定釘とよりなることを特徴とする請求項１に記載のゴルフ練習用ネット。
【考案の詳細な説明】
【技術分野】
【０００１】
本考案は、ゴルフ練習用ネットに関するものであり、更に詳しくは、ゴルフの練習において、ゴルフクラブにより打ったゴルフボールを受け止めるようにしたゴルフ練習用ネットに係るものでる。
【背景技術】
【０００２】
実用新案登録第３０４６５３７号公報は、ゴルフ練習用ネット（以下「従来のゴルフ練習用ネット」という。）を開示している。
【０００３】
従来のゴルフ練習用ネットは、地上に立設した少なくとも３本の支柱の上端間に梁を掛け渡すことによりフレームを形成し、該フレームにネットを支持させてなるものである。
【特許文献１】実用新案登録第３０４６５３７号公報
【考案の開示】
【考案が解決しようとする課題】
【０００４】
しかるに、従来のゴルフ練習用ネットにおいては、地上に立設した少なくとも３本の支柱の上端間に梁を掛け渡すことによりフレームを形成し、該フレームにネットを支持させるようにしているため、該ゴルフ練習用ネットは十分な自立性を備えていなければならない。即ち、フレームの支柱は、ネットと梁の重量に耐える頑丈なものであることが要求される。その結果、従来のゴルフ練習用ネットは、製造コストが嵩むと共に運搬、保管等が困難であるという謗りを免れ得ないものとなっている。
【０００５】
本考案は、従来のゴルフ練習用ネットにおける上述の如き問題を解決し、安価に製造することができ、かつ、運搬、保管等が容易なゴルフ練習用ネットを提供しようとしてなされたものである。
【課題を解決するための手段】
【０００６】
上記課題を解決するために、本考案は、下記のゴルフ練習用ネットを提供する。
【０００７】
（１）吊枠と、該吊枠に備えさせた吊下用係止手段と、該吊枠に取り外し自在に取り付けたネットと、該ネットの下縁を地面に固定するための固定手段とよりなり、
前記吊枠は複数本の吊枠構成部材を分離自在に連結してなり、
前記ネットは該吊枠の上面を覆うと共に該吊枠の縁部より垂下し、
該吊枠を前記吊下用係止手段により吊下げると共に該吊枠下方の正面部を開口させた状態で該ネットの下縁を前記固定手段により地面に固定したことを特徴とするゴルフ練習用ネット（請求項１）。
【０００８】
（２）前記固定手段は、ネットの下縁を押える押え杆と該押え杆を地面に固定する固定釘とよりなる（請求項２）。
【０００９】
［考案の作用］
［請求項１の考案］
ゴルフ練習用ネットは、吊下用係止手段を介して適宜の支持手段に吊下げる。支持手段は、ゴルフ練習用ネットを支え得るものであればいかなるものであってもよい。支持手段としては、例えば、地上に立設した構造物、該構造物と樹木との間に張設したロープ、ワイヤ等、或いは、樹木と樹木との間に張設したロープ、ワイヤ等が使用される。
【００１０】
ゴルフ練習用ネットは、上下方向の支柱を備えていない。即ち、ネットは吊下げられた吊枠の縁部より垂下され、ネットの下縁は固定手段により地面に固定される。ネットは、好ましくは、緩やかに取り付ける。
【００１１】
使用者は、吊枠下方の開口正面部に向ってゴルフボールを打ちこむ。しかるときは、ゴルフボールは、ネットにおける吊枠の縁部より垂下している垂下部又は吊枠の上面を覆う上面部により受け止められる。
【００１２】
ゴルフ練習用ネットの運搬時又は収納時には、ネットの下縁の固定を解除し、ネットを吊枠から外し、吊枠構成部材を分離することにより吊枠を分解する。しかるときは、ゴルフ練習用ネット全体がコンパクトな状態となる。
【００１３】
［請求項２の考案］
ネットの下縁を固定手段により地面に固定する際には、押え杆によりネットの下縁を押えさせ、該押え杆を固定釘により地面に固定する。固定釘は地面に打ち込まれる。
【考案の効果】
【００１４】
［請求項１の考案］
ゴルフ練習用ネットは、上下方向の支柱を備えていない。即ち、ネットは吊下げられた吊枠の縁部より垂下され、ネットの下縁は固定手段により地面に固定される。換言すれば、ゴルフ練習用ネットは頑丈な骨組を必要としない。従って、ゴルフ練習用ネットは、安価かつ軽量なものとなる。
【００１５】
ゴルフ練習用ネットの運搬時又は収納時には、ネットの下縁の固定を解除し、ネットを吊枠から外し、吊枠構成部材を分離することにより吊枠を分解し、ゴルフ練習用ネット全体をコンパクトな状態にすることができる。従って、このゴルフ練習用ネットは、運搬、収納が極めて容易である。
【００１６】
［請求項２の考案］
ネットの下縁は、押え杆と固定釘とにより地面に確実に固定される。また、押え杆と固定釘は安価に提供することができる。
【考案を実施するための最良の形態】
【００１７】
符号１に示すものは、ゴルフ練習用ネットの吊枠である。
【００１８】
吊枠１は、複数本の吊枠構成部材３、３・・・を分離自在に連結してなるものである。
【００１９】
図示の事例においては、吊枠構成部材３、３・・・は連結管５、５・・・を介して連結されている。図３、図４における符号７に示すものは、連結管５における長さ方向の中央部に配設された中央杆である。中央杆７は、吊枠構成部材３を連結管５内に挿入したときに、該吊枠構成部材３が連結管５における長さ方向の中央部を越して該連結管５内に入ることを防止する。
【００２０】
各吊枠構成部材３は、好ましくは弾性部材により形成し、一例として、炭素繊維強化プラスチックにより形成する。
【００２１】
各連結管５は、例えば、金属、或いは塩化ビニル等の合成樹脂により形成する。
【００２２】
符号９に示すものは、布、紐、ロープ、ワイヤ等の連結手段である。連結手段９は、連結管５を相互に連結するものである。
【００２３】
図示の事例においては、吊枠１は、４本の円弧状の吊枠構成部材３、３、３、３を４本の連結管５、５、５、５を介して連結してなる円環状体であり、２本の連結手段９、９を十文字状に配設している。
【００２４】
図３に示す事例においては、連結手段９の端部９ａを連結管５に巻き付けると共に該端部９ａをボルト６とナット８とにより座金１０、１２を介して連結手段９の本体部９ｂに固定している。
【００２５】
なお、吊枠１は、図示の円環状体に限定されるものではなく、吊枠１は、例えば楕円形状、長方形状、正方形状、三角形状、多角形状等に形成しても差し支えない。
【００２６】
吊枠１には吊下用係止手段１１を備えさせる。
【００２７】
図示の事例においては、吊枠１の中央部に吊下用係止手段１１としてフックを備えさせている。このフックを支持手段１３に係止している。
【００２８】
符号１５に示すものはネットである。ネット１５は吊枠１に取り外し自在に取り付けられる。なお、ネット１５は、その一部を布等により形成したものを含むものとする。
【００２９】
ネット１５は、吊枠１の上面を覆うと共に該吊枠１の縁部より垂下する。即ち、符号１５ａに示すものは、ネット１５における吊枠１の上面を覆う上面部であり、符号１５ｂに示すものは、ネット１５における吊枠１の縁部より垂下している垂下部である。
【００３０】
符号１７に示すものは、ネット１５の縁部に縫着された縁部布片である。
【００３１】
吊枠１が円環状に形成されている図示の事例においては、ネット１５の上面部１５ａにおける中央部分から縁部に至る中央部１５ｃを上面部１５ａの残部１５ａ’とは別体のネット片により形成し、該残部１５ａ’における中央部１５ｃに臨む縁部に適宜プリーツを形成している。
【００３２】
図５に示す事例においては、吊下用係止手段１１としてのフックにおける下端に直線状の棒状部１１ａを備えさせ、該棒状部１１ａに雄ねじ１９を形成している。この棒状部１１ａを上方より上側座金２１と、ネット１５の上面部１５ａと、連結手段９と、下側座金２３とに貫通させ、該棒状部１１ａにおける下側座金２３より下方に突出した部分にナット２５を螺合させている。
【００３３】
吊枠１を吊下用係止手段１１により吊下げると共に吊枠１下方の正面部２９を開口させた状態で、ネット１５の下縁２７、即ち垂下部１５ｂの下縁２７を、固定手段３１により地面に固定する。
【００３４】
固定手段３１は、ネット１５の下縁２７を押える押え杆３３と該押え杆３３を地面に固定する固定釘３５とよりなる。図７に示す固定釘３５は略逆Ｕ字状をなすものであるが、固定釘３５は押え杆３３を地面に固定し得るものであれば如何なる形状を備えたものであっても差し支えない。
【図面の簡単な説明】
【００３５】
【図１】本考案によるゴルフ練習用ネットの使用状態の一例を示す斜視図である。
【図２】同上ネットにおいて下縁を地面に固定していない状態を示す斜視図である。
【図３】吊枠構成部材、連結管、連結手段等を示す断面図である。
【図４】吊枠構成部材、連結管、連結手段等を示す別の断面図である。
【図５】吊下用係止手段の取付状態を示す断面図である。
【図６】本考案によるゴルフ練習用ネットの使用状態の一例を概略的に示す平面図である。
【図７】ネットの下縁を固定手段により地面に固定した状態を示す断面図である。
【符号の説明】
【００３６】
１  吊枠
３  吊枠構成部材
５  連結管
６  ボルト
７  中央杆
８  ナット
９  連結手段
１０  座金
１１  吊下用係止手段
１１ａ  棒状部
１２  座金
１３  支持手段
１５  ネット
１５ａ  上面部
１５ａ’  残部
１５ｂ  垂下部
１５ｃ  中央部
１７  縁部布片
１９  雄ねじ
２１  上側座金
２３  下側座金
２５  ナット
２７  下縁
２９  正面部
３１  固定手段
３３  押え杆
３５  固定釘
【図１】
0003107681.tif 000003
【図２】
0003107681.tif 000004
【図３】
0003107681.tif 000005
【図４】
0003107681.tif 000006
【図５】
0003107681.tif 000007
【図６】
0003107681.tif 000008
【図７】
0003107681.tif 000009